(57)【要約】      （修正有）【課題】歯科用診療装置の配管内部の消毒が簡易かつ完全にでき、歯科診療装置内のスペースを有効に活用できる洗浄方法を提供する。【解決手段】歯科用診療装置は歯科用診療台１１０、給水口１２０、うがい用給水装置１３０、歯科用インスツルメント１４０を備えている。配管から滞留水を抜く排水工程と、配管の給水口１２０に対して給水管路２２０に代えて、洗浄溶液タンク１５１とポンプ１５２と洗浄溶液供給管１５３を備えた洗浄溶液供給装置１５０を接続する接続工程と、洗浄溶液タンク１５１内の洗浄溶液をポンプに１５２より配管の各所に圧送する洗浄溶液供給工程と、配管の各所において洗浄溶液を滞留させる洗浄工程と、配管の給水口１２０に対して給水管路を接続する再接続工程と、水道水を配管の各所に圧送して各所のすすぎを行うすすぎ工程を行う。【選択図】図３
2013183976.tif 000002
【特許請求の範囲】
【請求項１】
水道水を装置内各所に給水する装置内配管と、うがい用給水装置と、歯科用インスツルメントとを備えた歯科用診療装置における前記装置内配管内部の洗浄方法であって、
前記装置内配管の給水口に対して給水管路に代えて、洗浄溶液タンクとポンプと洗浄溶液供給管を備えた洗浄溶液供給装置を接続する接続工程と、
前記洗浄溶液供給装置の前記洗浄溶液タンク内の洗浄溶液を前記ポンプにより前記装置内配管の各所に圧送する洗浄溶液供給工程と、
前記装置内配管の各所において前記洗浄溶液を滞留させる洗浄工程と、
前記装置内配管の給水口に対して前記洗浄溶液供給装置に代えて前記給水管路を接続する再接続工程と、
前記給水管路から水道水を前記装置内配管の各所に圧送し、前記装置内配管の各所のすすぎを行うすすぎ工程を備えたことを特徴とする歯科用診療装置の配管内部の洗浄方法。
【請求項２】
前記洗浄溶液供給装置の前記洗浄溶液供給管と前記装置内配管の給水口との接続部または前記洗浄溶液供給管の途中に分岐部を設け、前記分岐部から前記洗浄溶液タンクまで補助配管を設け、
前記洗浄溶液供給装置による前記洗浄溶液供給工程において、前記分岐部の切り替え操作により、前記ポンプによる前記洗浄溶液タンク−前記洗浄溶液供給管−前記分岐部−前記補助配管−前記洗浄溶液タンクという循環流と、前記分岐部の切り替え操作により、前記ポンプによる前記洗浄溶液タンク−前記洗浄溶液供給管−前記分岐部−前記装置内配管という圧送流の２つの経路のバランスを調整できることを特徴とする請求項１に記載の歯科用診療装置の配管内部の洗浄方法。
【請求項３】
前記洗浄溶液供給工程において、前記うがい用給水装置の吐水口から前記圧送された前記洗浄溶液が吐出されたことを確認すれば、前記歯科用診療装置に備わっているうがい用給水量調整装置を絞って前記洗浄溶液の吐出量を低減するか、前記うがい用給水量調整装置を閉鎖して前記洗浄溶液の吐出を停止し、前記歯科用インスツルメントへの前記洗浄溶液の圧送を効率化することを特徴とする請求項１または２に記載の歯科用診療装置の配管内部の洗浄方法。
【請求項４】
前記すすぎ工程に先立ち、前記歯科用インスツルメントへの配管におけるフレキシブル部を挟持して通水を防止するピンチ部材を取り付け、
前記すすぎ工程の開始時には、前記ピンチ部材の挟持によって前記歯科用インスツルメントへの通水を停止し、前記装置内配管の各所から剥離したバイオフィルムの前記歯科用インスツルメントへの流入を防止するとともに前記うがい用給水装置の吐水口から排出されるようにし、
前記すすぎ工程の進行に応じて、前記ピンチ部材を取り外し、前記歯科用インスツルメント内部の配管のすすぎを行うことを特徴とする請求項１乃至３のいずれか１項に記載の歯科用診療装置の配管内部の洗浄方法。
【請求項５】
前記洗浄溶液として水酸化ナトリウム溶液を用いることを特徴とする請求項１乃至４のいずれか１項に記載の歯科用診療装置の配管内部の洗浄方法。
【請求項６】
前記洗浄溶液としての水酸化ナトリウム溶液の濃度を０．１〜３０％とし、
前記洗浄工程において、前記洗浄溶液である水酸化ナトリウム溶液を前記装置内配管内に１０分間〜２４時間滞留させるものとする請求項５に記載の歯科用診療装置の配管内部の洗浄方法。
【請求項７】
前記洗浄溶液として過酸化水素溶液を用いることを特徴とする請求項１乃至４のいずれか１項に記載の歯科用診療装置の配管内部の洗浄方法。
【請求項８】
前記洗浄溶液としての過酸化水素溶液の濃度を０．１〜３０％とし、
前記洗浄工程において、前記洗浄溶液である過酸化水素溶液を前記装置内配管内に１０分間〜２４時間滞留させるものとする請求項７に記載の歯科用診療装置の配管内部の洗浄方法。
【発明の詳細な説明】
【技術分野】
【０００１】
本発明は歯科用診療装置の配管内部の洗浄方法に関するものである。
歯科用診療装置としては、特に、歯科治療中の患者が口腔内をすすぐためのうがい用給水装置と、歯科治療に用いる各種インスツルメント（例えば、エアータービン，マイクロエンジン，スケーラ，シリンジ等）を具備したものである。
【背景技術】
【０００２】
歯科医療に用いられる診療装置は、患者が着座または横になって診療を受ける歯科用診療椅子と、この診療椅子に接続された各種インスツルメントと、患者用のうがい用機器等から構成されている。
インスツルメントとしては、例えば、歯の切削に使用するエアータービンハンドピースやマイクロエンジン、歯垢の除去を行うスケーラ、患者の口腔内を清掃する清浄水を噴射するウォータシリンジなどがある。これらのインスツルメントは、歯の切削箇所を冷却するための冷却水を噴射するための注水手段を内蔵している。冷却に使用される水は給水源から装置内の給水配管を経てこれらインスツルメントの先端から歯の治療施術箇所に向けて噴射される。
【０００３】
これらのインスツルメント使用を伴う歯科治療後は水源から供給された水がインスツルメント内および給水配管内に残留することとなるが、歯科医院の休日を挟む場合など、水が長期に滞留する場合や、夏の高温時期などに水温が高い状態で滞留する場合には、給水配管内に細菌が繁殖したりバイオフィルムが発生したりするおそれがある。特に、不使用状態が長期にわたると、インスツルメント内及び該インスツルメントに水を供給する給水配管に至るまでの管路内に滞留する水中にバクテリアなどが発生し、これらがインスツルメント内の給水配管に詰まる不具合が発生する。
このように給水配管内に細菌が繁殖したりバイオフィルムが発生したりすると、患者の治療箇所や口内に噴射する水に雑菌等が混入するため、歯科治療患者の治療箇所に雑菌が入り込み、炎症などを引き起こす可能性がある。
【０００４】
そこで給水配管内の細菌を殺菌するため、種々の殺菌方法が提案されている。その中でも、給水配管内の水に対する殺菌効果が大きくかつコストが小さい方法として、歯科診療装置の稼働を停止させ、洗浄溶液を用いて装置内部各所の給水配管を洗浄する集中的な洗浄処理が挙げられる。
【０００５】
洗浄溶液を用いた装置内部各所の給水配管を洗浄する集中的な洗浄処理としては、特許文献１（特開平８−１９６５５３号公報）に開示された技術が挙げられる。
図１２に示すように、特許文献１に開示された技術によれば、歯科診療装置内に水を貯めた水タンク１１と、洗浄溶液タンク１２を搭載しておき、分岐切り換え弁１３、１４を用いて給水配管に流す液体を切り替え、通常は水タンク１１から水を供給し、洗浄処理時には洗浄溶液タンク１２に切り換えて洗浄溶液を供給する仕組みとなっている。
【０００６】
また、洗浄溶液を用いた装置内部各所の給水配管を洗浄する集中的な洗浄処理として、例えば、特許文献２（特開２００４−３２１２７６号公報）に開示された技術が挙げられる。
図１３に示すように、特許文献２に開示された技術によれば、歯科診療装置内に水を貯めた水源１と、殺菌液供給源９２を搭載しておき、切替バルブ９３を用いて加圧水供給管路に流す液体を切り替え、通常は水源１から水を供給し、洗浄処理時には殺菌液供給源９２に切り換えて殺菌液を供給する仕組みとなっている。
【０００７】
また、例えば、特許文献３（特開２０００−５２００号公報）に開示された技術が挙げられる。
図１４に示すように、特許文献３に開示された技術は、給水源Ｗから供給された水を医療器具に導出するための給水管路２に加え、次亜塩素酸ナトリウム等の薬剤を含む消毒液Ｑを貯留した消毒液タンク３を備え、給水管路２に切替制御弁６と、消毒液タン３クと給水枝管路部２を接続した消毒液注入管路３１と、途中に開閉弁５１を設け消毒液タンク３に接続された消毒液すすぎ管路５とを設け、上記切替制御弁６により、上記給水源Ｗの接続先を、上記給水枝管路部２と、上記消毒液すすぎ管路５とに切替接続する構造としている。
【０００８】
【特許文献１】特開平８−１９６５５３号公報
【特許文献２】特開２００４−３２１２７６号公報
【特許文献３】特開２０００−５２００号公報
【発明の開示】
【発明が解決しようとする課題】
【０００９】
しかし、上記した従来技術には以下の問題があった。
上記従来の特開平８−１９６５５３号公報、特開２００４−３２１２７６号公報、特開２０００−５２００号公報に開示された技術では、歯科診療装置内に水タンクと洗浄液タンクを搭載し、切り換え弁の切り替え操作により通常使用時には水を流し、洗浄時には洗浄液を流すことにより洗浄処理するものであるが、歯科診療装置の高性能化、小型化を妨げる問題がある。
歯科診療装置は高性能化、小型化が望まれているが、歯科診療装置には、患者が座るチェアと、チェア下部の駆動機構が組み込まれた駆動装置と、患者が口腔内をすすぐうがい用給水装置と、歯科用インスツルメントなどが組み込まれており、余剰のスペースが十分にあるとは言えない状況がある。
日々こまめに行う洗浄処理であれば、例えば、給水配管の途中に小型の歯科用診療装置の配管内部の洗浄方法を組み込み、供給する水を電気分解することにより低濃度の次亜塩素酸水を発生させて洗浄を行うことで対応できる場合がある。しかし、本格的な洗浄処理を行うためには、歯科診療装置の給水配管全体に洗浄液を十分に行き渡らせ、洗浄処理からすすぎ処理を徹底して行うため、適量の洗浄液を貯留した洗浄タンクを用いる必要があり、この洗浄タンクなどを歯科診療装置内のスペースに組み込むことが難しくなってくる。
【００１０】
また、特開平８−１９６５５３号公報、特開２００４−３２１２７６号公報、特開２０００−５２００号公報に開示された技術では、切り換え手段により洗浄液タンクから洗浄液を歯科診療装置内の給水配管に流し込むことが開示されているが、うがい用給水装置を伴う装置であれば、うがい用給水装置から排出される水量が大きく、うがい用給水装置から洗浄液の多くが排出されてしまい、給水配管の経路が長い歯科用インスツルメントの先端まで効率的に洗浄液が行き渡りにくいという問題がある。
【００１１】
また、特開平８−１９６５５３号公報、特開２００４−３２１２７６号公報、特開２０００−５２００号公報に開示された技術では、洗浄後のすすぎ段階では水タンクから給水配管中に水を供給してすすぐことが開示されているが、このすすぎ処理では、洗浄処理で給水配管壁面などから除去できたバイオフィルムなどの残渣を洗い流すが、すすぎ水の中に多量のバイオフィルムなどの残渣が混在していることがあり、バイオフィルムなどの残渣がすすぎ水の流れに乗って浮遊し、繊細な構造を持つ歯科用インスツルメント内に詰まるおそれがある。
【００１２】
本発明は上記の問題点に鑑み、歯科用診療装置の配管内部の消毒が簡易かつ完全にでき、歯科診療装置内のスペースを有効に活用できる洗浄方法を提供することを目的とする。
また、本発明は上記の問題点に鑑み、洗浄工程において、洗浄液を効率的に給水配管の全体に行き渡らせることができる洗浄方法を提供することを目的とする。
また、本発明は上記の問題点に鑑み、すすぎ工程において、洗浄処理において剥離して浮遊しているバイオフィルムなどにより、繊細な構造を持つ歯科用インスツルメント内を目詰まりなどの不具合が発生しない洗浄方法を提供することを目的とする。
【課題を解決するための手段】
【００１３】
上記課題を解決するために、本発明の歯科用診療装置の配管内部の洗浄方法は、  水道水を装置内各所に給水する装置内配管と、うがい用給水装置と、歯科用インスツルメントとを備えた歯科用診療装置における前記装置内配管内部の洗浄方法であって、前記装置内配管の給水口に対して給水管路に代えて、洗浄溶液タンクとポンプと洗浄溶液供給管を備えた洗浄溶液供給装置を接続する接続工程と、前記洗浄溶液供給装置の前記洗浄溶液タンク内の洗浄溶液を前記ポンプにより前記装置内配管の各所に圧送する洗浄溶液供給工程と、前記装置内配管の各所において前記洗浄溶液を滞留させる洗浄工程と、前記装置内配管の給水口に対して前記洗浄溶液供給装置に代えて前記給水管路を接続する再接続工程と、前記給水管路から水道水を前記装置内配管の各所に圧送し、前記装置内配管の各所のすすぎを行うすすぎ工程を備えた洗浄方法である。
なお、前記装置内配管に滞留水が残ったままの状態で前記洗浄溶液供給工程を行うと洗浄溶液が前記装置内配管に行き渡りにくく、かつ洗浄溶液の濃度も薄まってしまうため、まず最初に前記装置内配管から滞留水を抜く排水工程を行っておくことが望ましい。
【００１４】
上記構成により、歯科用診療装置の内部には洗浄溶液タンクは常設せずに、洗浄処理に際して外部に洗浄溶液タンクとポンプと洗浄溶液供給管を備えた洗浄溶液供給装置を動的に取り付けて洗浄処理を行うことができ、かつ、取り付け作業も簡単であり短時間に洗浄処理を開始することができる。
【００１５】
ここで、上記歯科用診療装置の配管内部の洗浄方法において、前記洗浄溶液供給装置の前記洗浄溶液供給管と前記装置内配管の給水口との接続部に分岐部を設け、前記分岐部から前記洗浄溶液タンクまで補助配管を設け、前記洗浄溶液供給装置による前記洗浄溶液供給工程において、前記分岐部の切り替え操作により、前記ポンプによる前記洗浄溶液タンク−前記洗浄溶液供給管−前記分岐部−前記補助配管−前記洗浄溶液タンクという循環流と、前記分岐部の切り替え操作により、前記ポンプによる前記洗浄溶液タンク−前記洗浄溶液供給管−前記分岐部−前記装置内配管という圧送流の２つの経路のバランスを調整できることが好ましい。
【００１６】
上記構成により、歯科用診療装置内の配管の給水口前の分岐部から洗浄溶液タンクまでの補助配管からなるバイパス循環ルートを設けておき、歯科用診療装置の配管内部に洗浄溶液を圧送供給する際に、管内の印加圧力調整を柔軟に行うことができる。歯科用診療装置は、比較的大径の配管が通るうがい用給水装置と、比較的小径の配管が通るインスツルメントが混在しており、排水状態にある歯科用診療装置内の配管に外部からポンプで洗浄溶液を圧送すると、インスツルメントの配管に対する圧力が強すぎたり、うがい用給水装置に対する圧力が弱すぎたりすることがあり得るが、装置内配管への圧送流とバイパス循環流のバランスを調整できれば柔軟な調整が可能となる。また、バイパス循環流を設けることにより、ポンプ内および洗浄溶液供給管内に残存する空気の除去などを効率的に行うこともできる。
【００１７】
次に、上記歯科用診療装置の配管内部の洗浄方法において、前記排水工程から前記洗浄溶液供給工程のいずれかのタイミングにおいて、前記歯科用診療装置に一般的に備わっているうがい用給水量調整装置を利用することが好ましい。前記洗浄溶液供給工程において、前記うがい用給水装置の吐水口から前記圧送された前記洗浄溶液が吐出されたことを確認すれば、前記うがい用給水量調整装置を絞って前記洗浄溶液の吐出量を低減するか、前記うがい用給水量調整装置を閉鎖して前記洗浄溶液の吐出を停止することが好ましい。
本来は、うがい用給水装置から排出される水量が大きく、うがい用給水装置から洗浄液の多くが排出されてしまい、給水配管の経路が長い歯科用インスツルメントの先端まで効率的に洗浄液が行き渡りにくいところ、洗浄溶液がうがい用給水装置の吐水口まで行き渡ったことを確認できれば、うがい用給水量調整装置を絞れば、うがい用給水装置の吐水口から無用に流れる洗浄溶液を低減し、歯科用インスツルメント側へ洗浄溶液を効率に圧送することができる。
【００１８】
次に、上記歯科用診療装置の配管内部の洗浄方法において、前記すすぎ工程に先立ち、前記歯科用インスツルメントへの配管におけるフレキシブル部を挟持して通水を防止するピンチ部材を取り付ける利用することが好ましい。前記すすぎ工程の開始時において、前記ピンチ部材の挟持によって前記歯科用インスツルメントへの通水を停止しておけば、前記装置内配管の各所から剥離したバイオフィルムの前記歯科用インスツルメントへの流入を防止するとともにそれらバイオフィルムを前記うがい用給水装置の吐水口から排出されるようにすることができる。なお、前記すすぎ工程の進行に応じて、十分に装置内配管中に存在するバイオフィルムなどの残渣がうがい用給水装置を介して排出されたと判断できれば、ピンチ部材を取り外すことにより、前記歯科用インスツルメント内部の配管のすすぎも行うことができる。
【００１９】
なお、前記洗浄溶液としては様々な洗浄溶液を用いることができるが、例えば、水酸化ナトリウム溶液を用いることができる。
なお、水酸化ナトリウム溶液の濃度は０．１〜３０％、さらに好ましくは劇物には当たらない濃度０．１−５％程度のものが好ましい。また、洗浄工程において、洗浄溶液である水酸化ナトリウム溶液の装置内配管内の滞留時間は１０分間〜２４時間滞留、好ましくは３０分〜１２０分間とする。
また、過酸化水素溶液などの酸化性溶液を前記洗浄溶液として用いてもよい。
なお、過酸化水素溶液の濃度も０．１〜３０％、さらに好ましくは劇物には当たらない濃度０．１−５％程度のものが好ましい。また、洗浄工程において、洗浄溶液である過酸化水素溶液の装置内配管内の滞留時間は１０分間〜２４時間滞留、好ましくは３０分〜１２０分間とする。
【発明の効果】
【００２０】
本発明の歯科用診療装置の配管内部の洗浄方法によれば、歯科用診療装置の内部には洗浄溶液タンクは常設せずに、洗浄処理に際して外部に洗浄溶液タンクとポンプと洗浄溶液供給管を備えた洗浄溶液供給装置を動的に取り付けて洗浄処理を行うことができ、かつ、取り付け作業も簡単であり短時間に洗浄処理を開始することができる。
また、本発明のうがい用給水量調整装置を用いることにより、洗浄溶液がうがい用給水装置の吐水口まで行き渡ったことを確認できれば、うがい用給水量調整装置を絞れば、うがい用給水装置の吐水口から無用に流れる洗浄溶液を低減し、歯科用インスツルメント側へ洗浄溶液を効率に圧送することができる。
また、本発明のピンチ部材を用いれば、その挟持によって前記歯科用インスツルメントへの通水を停止することができ、前記装置内配管の各所から剥離したバイオフィルムの前記歯科用インスツルメントへの流入を防止するとともにそれらバイオフィルムを前記うがい用給水装置の吐水口から排出されるようにすることができる。
【発明を実施するための最良の形態】
【００２１】
以下、図面を参照しつつ、本発明の歯科用診療装置の配管内部の洗浄方法の実施例を説明する。ただし、本発明の範囲は以下の実施例に示したものに限定されるものではないことは言うまでもない。
【実施例１】
【００２２】
実施例１にかかる本発明の歯科用診療装置の配管内部の洗浄方法について説明する。以下、本発明の最良の形態について図面に基づき説明する。
図１は、本発明の歯科用診療装置の配管内部の洗浄方法を適用する代表的な歯科用診療装置１００の構成例を簡単に示す図である。
図１に示すように、典型的な歯科用診療装置１００は、診療台本体１１０、給水口１２０、うがい用給水装置１３０、インスツルメント１４０などを備えた構成となっている。なお、図１では、外部の給水源２００と、バルブ２１０、給水管路２２０が分かりやすいように、床面の給水溝が見えるように床蓋を開けた状態で示されている。
【００２３】
各部を説明する。
診療台本体１１０は、特に限定されず、歯科用診療台本体であればいずれでも適用することができる。この例では電動式で背もたれやフットレストの角度が変わり、患者の座位、仰臥位のいずれの姿勢にも対応するようになっている。
【００２４】
給水口１２０は、給水源２００からの給水管路２１０に接続される口であり、給水口１２０から給水源２００の水が供給される。なお、給水源２００は一般の水道源でも良い。
【００２５】
うがい用給水装置１３０は、患者が折に触れて口腔内をうがいするための水をコップなどに供給するものであり、その内部に給水口１２０から連通する配管を備え、水を吐出する。また、図１に示すように、うがい用給水装置１３０は患者がうがい後の水を捨てるボウルなども備えている。
【００２６】
インスツルメント１４０は、特に限定されず、エアータービン，マイクロエンジン，スケーラ，シリンジ等、歯科用診療に用いられる各種歯科治療器具である。それらは歯科治療時に治療箇所を冷やすため水を噴射する機能が含まれている。
【００２７】
給水源２００は水を供給する設備であり、例えば、一般水道設備であっても良い。給水源には一定水圧が印加されており、配管などを接続し、バルブ２１０を開放することにより水が供給される。
【００２８】
バルブ２１０は、給水源２００からの給水の開閉弁であり、給水源２００が一般水道設備とすると水道栓に相当するものである。捻ることによりバルブ２１０を開放したり閉鎖したりすることができる。
【００２９】
給水管路２２０は、給水源２００の端部と給水口１２０との間を接続する管である。後述するように、洗浄処理の過程において取り外したり取り付けたりすることができるものとなっている。
【００３０】
図１（ｂ）は給水源２００から給水口１２０までの接続を側面から簡単に示した図である。なお、図１（ｂ）には逆流防止装置と減圧装置が付加されている。逆流防止装置は水や洗浄溶液などが歯科用診療装置１００側から逆流するのを防止するための器具であり、減圧装置は給水源２００からの水圧を調整するための器具であり、歯科用診療装置１００内の給水口１２０以降に元々から備わっている場合もある。
なお、本発明の歯科用診療装置の配管内部の洗浄方法としては、後述する図３に示すように、洗浄溶液タンク１５１、ポンプ１５２、洗浄溶液供給管１５３を具備した洗浄溶液供給装置１５０を備えたものとなっている。
【００３１】
洗浄溶液供給装置１５０は、洗浄工程において洗浄溶液を歯科用診療装置の配管内に供給する装置である。
【００３２】
洗浄溶液タンク１５１は、後述する洗浄工程で用いる洗浄溶液を貯留したタンクである。洗浄溶液としては歯科用診療装置の配管内部の洗浄に適したものであれば特に限定されないが、歯科用診療装置各所の部材に付着しているバイオフィルムなどの除去能力が高い一方、それら部材を傷めたり劣化させたりしにくい薬剤が好ましい。
例えば、濃度を適度に調整した水酸化ナトリウム溶液などがある。水酸化ナトリウム溶液の場合であれば、その濃度としては、０．１％から３０％、望ましくは０．１−５％（劇物扱いとならない濃度）とするのが良い。
また、例えば、濃度を適度に調整した過酸化水素水溶液などがある。過酸化水素水溶液の場合でも、その濃度としては、０．１％から３０％、望ましくは０．１−５％（劇物扱いとならない濃度）とするのが良い。
以下、ここでは、水酸化ナトリウム溶液を用いるものとして説明を続ける。
【００３３】
ポンプ１５２は、後述する洗浄工程で用いる洗浄溶液を洗浄溶液タンク１５１から汲み出して歯科用診療装置の配管内部に送り込むものである。ポンプ圧を調整できるものが好ましい。
洗浄溶液供給管１５３は、洗浄溶液タンク１５１の端部と給水口１２０との間を接続する管である。なお、洗浄溶液供給管１５３の管路の途中にポンプ１５２を設ける構成であっても良い。後述するように、洗浄処理の過程において取り外したり取り付けたりすることができるものとなっている。
【００３４】
以下、歯科用診療装置１００に対する本発明の歯科用診療装置の配管内部の洗浄方法を順に説明する。
図２は、本発明の歯科用診療装置の配管内部の洗浄方法の工程の流れを簡単に説明する図である。
図２に示すように、本発明の歯科用診療装置の配管内部の洗浄方法は、大きく、排水工程１０１、接続工程１０２、洗浄溶液供給工程１０３、洗浄工程１０４、再接続工程１０５、すすぎ工程１０６の６つの工程を含むものとなっている。
なお、上記したように、排水工程１０１を伴う方が好ましいが、排水工程１０１は必須の工程ではなく、排水工程１０１を省いて洗浄処理を行うことも本発明の範囲内である。
以下、順を追って説明する。
【００３５】
（１）排水工程１０１
排水工程１０１は、給水源２００のバルブ２１０を閉鎖し、水の供給を停止するとともに、歯科用診療装置の操作方法にしたがって歯科用診療装置１００の装置内配管から滞留水を抜き取るように操作する。バルブ２１０は後述するすすぎ工程１０６まで閉鎖しておく。
この排水工程は、後述する洗浄工程の開始時において、歯科用診療装置１００の装置内配管に注入された洗浄溶液がすべての装置内配管にあまねく行き渡るようにすること、さらに、その洗浄溶液の濃度が薄まらないように、装置内配管に存在する水を除去しておくためである。洗浄溶液の濃度が所定の範囲内に収まれば良いので、歯科用診療装置１００の操作方法にしたがって装置内配管内の水分を抜き取れば良い。
【００３６】
（２）接続工程１０２
接続工程１０２は、歯科用診療装置の給水口１２０から給水管路２２０に代えて、洗浄溶液タンク１５１とポンプ１５２と洗浄溶液供給管１５３を備えた洗浄溶液供給装置１５０を接続する工程である。
図３は、接続工程１０２により歯科用診療装置の給水口１２０から給水管路２２０に代えて、洗浄溶液供給装置１５０を外付けにて接続する様子を示す図である。図３（ａ）は歯科用診療装置１００の給水口１２０から給水管路２２０を取り外した様子を示す図、図３（ｂ）は洗浄溶液供給装置１５０の各部である洗浄溶液タンク１５１とポンプ１５２と洗浄溶液供給管１５３をそれぞれ取り付けた様子を示す図である。
なお、図３（ｂ）は歯科用診療装置１００と洗浄溶液供給装置１５０の各部の接続関係が分かりやすいように側面視において単純化して示している。
このように洗浄溶液供給工程１０３に先立ち、洗浄溶液供給装置１５０を外付けにて動的に取り付けることにより、洗浄溶液タンク１５１を歯科用診療装置内に常設することなく、装置内部のスペースを有効活用することができる。
この接続により、洗浄溶液タンク１５１と歯科用診療装置の給水口１２０を接続し、洗浄溶液タンク１５１から洗浄溶液を注入する準備ができた。
【００３７】
（３）洗浄溶液供給工程１０３
洗浄溶液供給工程１０３は、洗浄溶液供給装置１５０のポンプ１５２を稼働させ、洗浄溶液タンク１５１内の洗浄溶液を装置内配管の各所に圧送する工程である。
図４は、洗浄溶液供給工程１０３において、洗浄溶液供給装置１５０のポンプ１５２を稼働させ、歯科用診療装置の給水口１２０から洗浄溶液を装置内配管の各所に圧送している様子を示す図である。上記したように、ここでは、例えば、洗浄溶液として濃度１．５％の水酸化ナトリウム溶液が圧送されているものとする。
図４に示すように、洗浄溶液を装置内配管の各所に圧送され、うがい用給水装置１３０やインスツルメント１４０の先端から洗浄溶液が出てきている。うがい用給水装置１３０やインスツルメント１４０の先端から洗浄溶液が出ていないうちは洗浄溶液が装置内配管の各所に行き渡っていないと判断できる。
【００３８】
（４）洗浄工程１０４
洗浄工程１０４は、装置内配管の各所に行き渡っている洗浄溶液をしばらく装置内配管の各所において滞留させる工程である。
図５は、洗浄工程１０４として装置内配管の各所に行き渡っている洗浄溶液をしばらく装置内配管の各所において滞留させている様子を示す図である。滞留時間は洗浄溶液の種類や濃度などに応じて調整すれば良い。洗浄溶液をしばらく滞留させることにより、装置内の配管の壁面に付着しているバクテリアやカビなどのバイオフィルムが溶脱したり剥離したりし、管内の洗浄が進む。
なお、滞留時間については、洗浄溶液の濃度にもよるが、１０分から２４時間であれば良い。なお、滞留時間を長くし過ぎるとユニットに悪影響を及ぼすおそれがある場合、１２時間以内に抑えても良い。また、１０分から１２０分程度の比較的短時間でも効果が出ることがある。ここでは、濃度１．５％の水酸化ナトリウム溶液を３０〜１２０分間滞留させるものとする。
【００３９】
（５）再接続工程１０５
再接続工程１０５は、装置内配管の給水口１２０に対して洗浄溶液供給装置１５０に代えて給水管路２２０を再び接続する工程である。洗浄工程のために装置内の各所に滞留させていた洗浄溶液をすすぐために再び給水源２００に接続する。
図６は、再接続工程１０５において装置内配管の給水口１２０に対して洗浄溶液供給装置１５０に代えて給水管路２２０を再び接続する様子を示す図である。この際、給水口１２０から洗浄溶液が逆流して流れ出すこともあり得る。給水口１２０の下部に洗浄溶液などを流し出す排水設備が設けられていない場合、こぼれる洗浄溶液を受けるための排水容器を準備しておくことが好ましい。
【００４０】
（６）すすぎ工程１０６
すすぎ工程１０６は、バルブ２１０を開放し、給水源２００から給水管路２２０を介して水道水を装置内配管の各所に圧送し、装置内配管の各所のすすぎを行う工程である。
図７は、すすぎ工程１０６においてすすぎを行っている様子を示す図である。なお、図７では各構成要素を側面視において単純化して示している。
すすぎ工程１０６において給水源２００から給水管路２２０を介して水道水を装置内配管の各所に圧送し、うがい用給水装置１３０やインスツルメント１４０の先端から水（すすぎ水）が出てきている。うがい用給水装置１３０やインスツルメント１４０の先端から水（すすぎ水）が出ていないうちは水（すすぎ水）が装置内配管の各所に行き渡っていないと判断できる。うがい用給水装置１３０やインスツルメント１４０の先端から水（すすぎ水）が出始めてから所定の時間はそのまま水を出し、すすぎを続ける。
すすぎ工程１０６が終了すれば、一連の洗浄処理が完了する。
【００４１】
以上、本発明の歯科用診療装置の配管内部の洗浄方法によれば、歯科用診療装置の内部に洗浄溶液タンクを常設することなく、洗浄処理に際して簡単な手順により、外部に洗浄溶液タンク１５１とポンプ１５２と洗浄溶液供給管１５３を備えた洗浄溶液供給装置１５０を動的に取り付けて洗浄処理を行うことができ、かつ、取り付け作業も簡単であり短時間に洗浄処理を開始することができる。
【実施例２】
【００４２】
実施例２の歯科用診療装置の配管内部の洗浄方法は、洗浄溶液供給工程において実施例１で説明した基本の圧送流に加え、補助配管を用いた循環流のバイパスルートも設けておき、圧送流と循環流の２つの経路のバランスを調整することを可能としたものである。
実施例２の歯科用診療装置の配管内部の洗浄方法は、実施例１の図２と同様、大きくは、排水工程１０１、接続工程１０２ａ、洗浄溶液供給工程１０３ａ、洗浄工程１０４、再接続工程１０５、すすぎ工程１０６の６つの工程を含むものとなっているが、接続工程１０２ａと洗浄溶液供給工程１０３ａが異なるものとなっている。
以下、順を追って説明する。
【００４３】
（１）排水工程１０１
排水工程１０１は実施例１と同様であるため説明を省略する。
なお、実施例１と同様、排水工程１０１は行うことが好ましいが、必須の工程ではなく、排水工程１０１を省いて洗浄処理を行うことも可能である。
【００４４】
（２）接続工程１０２ａ
接続工程１０２ａにおいて用いる洗浄溶液供給装置１５０ａは、実施例１に示した洗浄溶液タンク１５１、ポンプ１５２、洗浄溶液供給管１５３に加え、分岐部１５４と補助配管１５５を具備したものとなっている。この構成例では分岐部１５４は洗浄溶液供給管１５３の一部に組み込まれた形となっている。
洗浄溶液供給装置１５０ａの洗浄溶液タンク１５１、ポンプ１５２、洗浄溶液供給管１５３までの接続は実施例１と同様であるが、その後に循環流のバイパスルートの接続工程が加わる。
【００４５】
分岐部１５４は、洗浄溶液供給装置１５０の洗浄溶液供給管１５３と装置内配管の給水口１２０との接続部分、または洗浄溶液供給管１５３の途中に設けられ、経路を切り替える部分である。
なお、分岐部１５４は洗浄溶液供給管１５３の一部に組み込まれているため、洗浄溶液供給管１５３を接続した段階で分岐部１５４も組み込まれる。
【００４６】
補助配管１５５は、分岐部１５４から洗浄溶液タンク１５１までの循環経路を形成するものである。
図８は、実施例２の歯科用診療装置の配管内部の洗浄方法における接続工程を示す図である。
図８に示すように、分岐部１５４に対して補助配管１５５の一端を接続し、他端を洗浄溶液タンク１５１まで導き、循環のバイパスルートを接続する。
この接続工程により、洗浄溶液タンク１５１−ポンプ１５２−洗浄溶液供給管１５３−分岐部１５４−給水口１２０という圧送流ルートが形成されるとともに、洗浄溶液タンク１５１−ポンプ１５２−洗浄溶液供給管１５３−分岐部１５４−補助配管１５５−洗浄溶液タンク１５１という循環流のバイパスルートが形成される。
【００４７】
洗浄溶液供給工程において、この分岐部１５４の切り替え操作により、ポンプ１５２による圧送流ルートと循環バイパスルートの２つの経路のバランスを調整できるものとなる。なお、分岐部１５４の切り替え操作は、給水口１２０への圧送ルートのみとなるように切り替えても良く、また、循環のバイパスルートのみとなるように切り替えても良いが、分岐部１５４の切り替えを中途状態とし、給水口１２０への圧送ルートと循環のバイパスルートとのバランスを調整することも可能であることが好ましい。
【００４８】
（３）洗浄溶液供給工程１０３ａ
ポンプ１５２の稼働により、洗浄溶液タンク１５１から洗浄溶液を汲み上げて圧送するが、分岐部１５４の切り替え操作により、ポンプ１５２による圧送流ルートと循環バイパスルートの２つの経路のバランスを調整できる。
【００４９】
図９（ａ）は、洗浄溶液供給工程において、分岐部１５４の切り替え操作により、経路を循環バイパスルートのみにした場合にポンプ１５１から洗浄溶液を圧送した様子を示す図である。分岐部１５４の切り替え操作により、洗浄溶液タンク１５１−ポンプ１５２−洗浄溶液供給管１５３−分岐部１５４−補助配管１５５−洗浄溶液タンク１５１という循環流が形成される。また、図９（ｂ）に示すように、分岐部１５４の切り替え操作により、上記の循環流がやや減少し、洗浄溶液タンク１５１−ポンプ１５２−洗浄溶液供給管１５３−分岐部１５４−供給口１２０という圧送流が増加し、２つの経路のバランスが調整されている。
【００５０】
このように、分岐部１５４と、洗浄溶液タンク１５１までの補助配管１５５からなるバイパス循環ルートを設けておくことにより、歯科用診療装置の胸腔口１２０から装置の配管内部に洗浄溶液を圧送供給する際に、管内の印加圧力調整を柔軟に行うことができる。歯科用診療装置１００の構成要素としては、比較的大径の配管が通るうがい用給水装置１３０と、比較的小径の配管が通るインスツルメント１４０が混在しており、排水されて空気が充満した状態にある歯科用診療装置内の配管に外部からポンプ１５２で洗浄溶液を圧送すると、インスツルメント１４０の配管に対する圧力が強すぎたり、うがい用給水装置１３０に対する圧力が弱すぎたりすることがあり得るが、装置内配管への圧送流とバイパス循環流との間でバランスを調整できれば柔軟な圧力調整が可能となる。また、バイパス循環流を設けて、供給口１２０への圧送に先立って、循環ルートで洗浄溶液をポンプ内および洗浄溶液供給管内に流し込んでおくことにより、それらの内部に残存する空気の除去なども効率的に行うことができる。
【００５１】
（４）洗浄工程１０４
洗浄工程１０４は実施例１と同様であるため説明を省略する。
（５）再接続工程１０５
再接続工程１０５は実施例１と同様であるため説明を省略する。
（６）すすぎ工程１０６
すすぎ工程１０６は実施例１と同様であるため説明を省略する。
【００５２】
以上、実施例２の歯科用診療装置の洗浄処理によれば、接続工程１０２ａにおいて実施例１で説明した基本の圧送流のルートに加え、補助配管を用いた循環流のバイパスルートも設けておき、洗浄溶液供給工程１０３ａにおいて圧送流と循環流の２つの経路のバランスを調整することを可能となる。
【実施例３】
【００５３】
次に、うがい用給水量調整装置を用いる構成について説明する。
うがい用給水量調整装置１３１は、歯科用診療装置１００に備わっているものであり、このうがい用給水量調整装置１３１を用いることにより、うがい用給水装置１３０先端から吐出される洗浄溶液量を調整することができる。
なお歯科用診療装置１００にうがい用給水量調整装置１３１が備わっていない場合は、うがい用給水装置130吐出口先端にうがい用給水量調整装置を取り付けてもよい。
【００５４】
図１０（ａ）は、うがい用給水量調整装置１３１を、うがい用給水装置１３０の吐水口に対して取り付けた様子を示す図である。
図１０（ａ）に示すように、うがい用給水量調整装置１３１を用いることにより、後述する洗浄溶液供給工程１０３ｂにおいて、効率的にインスツルメント１４０に洗浄溶液を供給することができる。
【００５５】
実施例３の歯科用診療装置の配管内部の洗浄方法は、実施例１の図２と同様、大きくは、排水工程１０１、接続工程１０２ｂ、洗浄溶液供給工程１０３ｂ、洗浄工程１０４、再接続工程１０５、すすぎ工程１０６の６つの工程を含むものとなっているが、接続工程１０２ｂと洗浄溶液供給工程１０３ｂが異なるものとなっている。
【００５６】
以下、順を追って説明する。
（１）排水工程１０１
排水工程１０１は実施例１と同様であるため説明を省略する。
なお、実施例１と同様、排水工程１０１は行うことが好ましいが、必須の工程ではなく、排水工程１０１を省いて洗浄処理を行うことも可能である。
【００５７】
（２）接続工程１０２ｂ
接続工程１０２ｂにおいて用いる洗浄溶液供給装置１５０は、実施例１に示した洗浄溶液供給装置１５０でも良く、洗浄溶液供給装置１５０ａであっても良い。本実施例３では、さらに、図１０（ａ）に示すように、うがい用給水装置１３０の吐水口に対してうがい用給水量調整装置１３１を取り付ける。
【００５８】
（３）洗浄溶液供給工程１０３ｂ
うがい用給水量調整装置１３１を用いない場合、歯科用診療装置１００の装置内配管において、うがい用給水装置１３０には比較的大径の配管が通り、インスツルメント１４０は比較的小径の配管が通り、それら配管が複雑に混在している。この状態で歯科用診療装置１００内の配管に外部からポンプ１５２で洗浄溶液を圧送すると、比較的大径のうがい用給水装置１３０の吐出口から洗浄溶液が排出されやすく、比較的小径のインスツルメント１４０の先端からは洗浄溶液が排出されにくいため、インスツルメント１４０の先端まで洗浄溶液を行き渡らせるには時間がかかる。また、時間を短縮するために圧送圧力を高めると歯科用診療装置１００の内部配水管やインスツルメント１４０の先端に不要に高い圧力がかかってしまう。
【００５９】
そこで、本実施例３にかかる洗浄溶液供給工程１０３ｂでは、洗浄溶液供給工程の初期段階では、うがい用給水量調整装置１３１を開放した状態としたままポンプ１５２から供給口１２０への洗浄溶液の圧送を開始する。うがい用給水装置１３０の排出口は大径であるため、洗浄溶液が流れ出やすく、インスツルメント１４０への洗浄溶液の供給量を低下させてしまう。そこで、図１０（ｂ）に示すように、うがい用給水装置１３０の吐出口から洗浄溶液が供給されて吐出され始めたことを確認すれば、うがい用給水量調整装置１３１を閉鎖し、図１０（ｃ）に示すように、洗浄溶液の吐出を停止する。うがい用給水装置１３０の吐出口からの吐出を停止すると、無駄に流出する洗浄溶液がなくなり、インスツルメント１４０に対して洗浄溶液を集中させることができる。
図１０（ｃ）に示すように、インスツルメント１４０の先端から洗浄溶液が吐出され始めると、歯科用診療装置１００の装置内配管の全体に洗浄溶液が行き渡ったこととなる。
【００６０】
（４）洗浄工程１０４
洗浄工程１０４は実施例１と同様であるため説明を省略する。
（５）再接続工程１０５
再接続工程１０５は実施例１と同様であるため説明を省略する。
（６）すすぎ工程１０６
すすぎ工程１０６は実施例１と同様であるため説明を省略する。
【００６１】
以上、実施例３の歯科用診療装置の洗浄処理によれば、接続工程１０２ｂにおいて実施例３で説明したうがい用給水量調整装置１３１を取り付けておき、洗浄溶液供給工程１０３ｂにおいてうがい用給水装置１３０の吐出を確認した後、うがい用給水量調整装置１３１を閉鎖し、インスツルメント１４０の先端まで洗浄溶液を短時間に行き渡らせることが可能となる。
【実施例４】
【００６２】
次に、歯科用インスツルメント１４０への配管におけるフレキシブル部１４２を挟持して通水を防止するピンチ部材１４１を用いる構成について説明する。
ピンチ部材１４１は、歯科用インスツルメント１４０への配管におけるフレキシブル部を挟み込んでインスツルメント１４０への通水を一時的に防ぐものであり、すすぎ工程においてこのピンチ部材１４１を用いることにより、バイオフィルムなどが浮遊している洗浄溶液の排水をインスツルメント１４０へ流れ込まないように制御することができる部材となっている。
【００６３】
図１１は、ピンチ部材１４１は、インスツルメント１４０のフレキシブル部１４２に対して取り付けた様子を示す図である。
ピンチ部材１４１でインスツルメント１４０のフレキシブル部１４２を挟み込むことにより、後述するすすぎ工程１０６ｃにおいて、インスツルメント１４０へのバイオフィルムの流れ込みを防止することができる。
【００６４】
実施例４の歯科用診療装置の配管内部の洗浄方法は、実施例１の図２と同様、大きくは、排水工程１０１、接続工程１０２、洗浄溶液供給工程１０３、洗浄工程１０４、再接続工程１０５、すすぎ工程１０６ｃの６つの工程を含むものとなっているが、再接続工程１０５ｃおよびすすぎ工程１０６ｃが異なるものとなっている。
【００６５】
以下、順を追って説明する。
（１）排水工程１０１
排水工程１０１は実施例１と同様であるため説明を省略する。
なお、実施例１と同様、排水工程１０１は行うことが好ましいが、必須の工程ではなく、排水工程１０１を省いて洗浄処理を行うことも可能である。
【００６６】
（２）接続工程１０２
接続工程１０２は実施例１と同様で良い。また、実施例２の排水工程１０２ａ、実施例３の接続工程１０２ｂと同様でも良い。ここでは説明を省略する。
【００６７】
（３）洗浄溶液供給工程１０３
洗浄溶液供給工程１０３は実施例１と同様で良い。また、実施例２の洗浄溶液供給工程１０３ａ、実施例３の洗浄溶液供給工程１０３ｂと同様でも良い。ここでは説明を省略する。
【００６８】
（４）洗浄工程１０４
洗浄工程１０４は実施例１と同様であるため説明を省略する。
【００６９】
（５）再接続工程１０５ｃ
洗浄溶液供給装置１５０の取り外しと給水管路２１０の再接続は、実施例１の再接続工程１０５と同様で良いが、ここでは、さらに、ピンチ部材１４１をインスツルメント１４０のフレキシブル部１４２に取り付けてフレキシブル部１４２を挟み込んで、洗浄処理済みの洗浄溶液がインスツルメント１４０側に流れ込まないようにする。
【００７０】
（６）すすぎ工程１０６ｃ
すすぎ工程１０６ｃの前半段階において、実施例１に示したすすぎ工程１０６と同様、給水源２００から給水口１２０に対して給水を開始し、装置内配管にすすぎ用の水を供給する。ここで、洗浄処理により装置内配管から溶脱または剥離したバイオフィルムの残渣が含まれているが、インスツルメント１４０のフレキシブル部１４２がピンチ部材１４１で挟持されて閉鎖された状態であるため、インスツルメント１４０の先端部に対してすすぎ用の水が到達することはない。そのため、すすぎ用の水はもっぱらうがい用給水装置１３０の吐出口から吐出されることとなる。
【００７１】
すすぎ工程１０６ｃが進行し、装置内配管の洗浄溶液のほとんどがうがい用給水装置１３０の吐出口から吐出されたことが確認できれば、ピンチ部材１４１を取り除き、インスツルメント１４０のフレキシブル部１４２を通水状態に戻す。なお、装置内配管の洗浄溶液のすすぎ処理の進行は、リトマス試験紙などによりｐＨを確認し、アルカリ性から中性、または酸性から中性に変化すればすすぎ処理が十分に進行したことが確認できる。
【００７２】
すすぎ工程１０６ｃの後半段階として、インスツルメント１４０のフレキシブル部１４２に通水することにより、インスツルメント１４０のフレキシブル部１４２に残存している洗浄溶液をすすぎ流す。
【００７３】
以上、実施例４に示したピンチ部材１４１を用いれば、その挟持によってインスツルメント１４０の先端への通水を停止することができ、装置内配管の各所から剥離したバイオフィルムのインスツルメントの先端への流入を防止することができる。
【００７４】
以上、本発明の歯科用診療装置の配管内部の洗浄方法における好ましい実施例を図示して説明してきたが、本発明の技術的範囲を逸脱することなく種々の変更が可能であることは理解されるであろう。
【産業上の利用可能性】
【００７５】
本発明の歯科用診療装置の配管内部の洗浄方法は、様々な歯科用診療装置に対する配管内部の洗浄方法として広く適用することができる。
【図面の簡単な説明】
【００７６】
【図１】本発明の歯科用診療装置の配管内部の洗浄方法を適用する代表的な歯科用診療装置１００の構成例を簡単に示す図である。
【図２】本発明の歯科用診療装置の配管内部の洗浄方法の工程の流れを簡単に説明する図である。
【図３】接続工程１０２により洗浄溶液供給装置１５０を外付けにて接続する様子を示す図である。
【図４】洗浄溶液供給工程１０３において、ポンプ１５２を稼働させ、歯科用診療装置の給水口１２０から洗浄溶液を装置内配管の各所に圧送している様子を示す図である。
【図５】洗浄工程１０４として装置内配管の各所に行き渡っている洗浄溶液をしばらく装置内配管の各所において滞留させている様子を示す図である。
【図６】再接続工程１０５において装置内配管の給水口１２０に対して洗浄溶液供給装置１５０に代えて給水管路２２０を再び接続する様子を示す図である。
【図７】すすぎ工程１０６において装置内配管に対してすすぎを行っている様子を示す図である。
【図８】実施例２の歯科用診療装置の配管内部の洗浄方法における接続工程を示す図である。
【図９】分岐部１５４の切り替え操作により、経路を循環バイパスルートのみにした場合にポンプ１５１から洗浄溶液を圧送した様子を示す図である。
【図１０】うがい用給水量調整装置１３１は、うがい用給水装置１３０の吐水口に対して取り付けた様子を示す図である。
【図１１】ピンチ部材１４１は、インスツルメント１４０のフレキシブル部１４２に対して取り付けた様子を示す図である。
【図１２】特許文献１（特開平８−１９６５５３号公報）に開示された技術を説明する図である。
【図１３】特許文献２（特開２００４−３２１２７６号公報）に開示された技術を説明する図である。
【図１４】特許文献３（特開２０００−５２００号公報）に開示された技術を説明する図である。
【符号の説明】
【００７７】
１００，１００ａ，１００ｂ，１００ｃ  歯科用診療装置
１１０  診療台本体
１２０  給水口
１３０，１３０ｂ  うがい用機器
１３１  うがい用給水量調整装置
１４０，１４０ｃ  インスツルメント
１４１  ピンチ部材
１５０，１５０ａ  洗浄溶液供給装置
１５１  洗浄溶液タンク
１５２  ポンプ
１５３  洗浄溶液供給管
１５４  分岐部
１５５  補助配管
【図１】
2013183976.tif 000003
【図２】
2013183976.tif 000004
【図３】
2013183976.tif 000005
【図４】
2013183976.tif 000006
【図５】
2013183976.tif 000007
【図６】
2013183976.tif 000008
【図７】
2013183976.tif 000009
【図８】
2013183976.tif 000010
【図９】
2013183976.tif 000011
【図１０】
2013183976.tif 000012
【図１１】
2013183976.tif 000013
【図１２】
2013183976.tif 000014
【図１３】
2013183976.tif 000015
【図１４】
2013183976.tif 000016